(57)【特許請求の範囲】
【請求項１】
着地時に接地する接地面を持つアウターソールと、前記アウターソールの上に配置され着地時の衝撃を緩和するミッドソールとを備えた靴底において、
前記ミッドソールは：
母指球の真下の部位と、第５中足骨の骨頭の真下の部位、第５基節骨の骨頭の真下の部位および第５基節骨の骨底の真下の部位のうち少なくとも１つとを含む第１の領域と；
前記第１の領域よりも前方の部位を含む第２の領域と；
足の外側における前記第１の領域よりも後方の部位を含む第３の領域と；を備え、
前記第１の領域におけるミッドソールの硬度は、第１の硬度範囲内にあり、
前記第２の領域におけるミッドソールの硬度は、第２の硬度範囲内にあり、
前記第３の領域におけるミッドソールの硬度は、第３の硬度範囲内にあり、
前記第３の硬度範囲内の硬度は前記第２の硬度範囲内の硬度よりも大きく、かつ、前記第２の硬度範囲内の硬度は前記第１の硬度範囲内の硬度よりも大きい靴底。
【請求項２】
請求項１において、前記ミッドソールは、前記第１の領域よりも後方において足の内側から前記第３領域に向かう領域であって、第１〜第３中足骨の骨体の真下の部位を含む第４の領域を更に備え、
前記第４の領域におけるミッドソールの硬度は第４の硬度範囲内にあり、
前記第４の硬度範囲内の硬度は前記第２の硬度範囲内の硬度よりも大きい靴底。
【請求項３】
請求項２において、前記ミッドソールは、足の内側において前記第４の領域よりも後方の部位から踵の後端にわたる第５の領域を更に備え、
前記第５の領域におけるミッドソールの硬度は第５の硬度範囲内にあり、
前記第５の硬度範囲内の硬度は、前記第１の硬度範囲内の硬度よりも大きく、かつ、第３の硬度範囲内の硬度よりも小さい靴底。
【請求項４】
請求項１もしくは３において、前記第１の硬度範囲はＪＩＳＣ硬度で４０度以上５０度未満であり、前記第２の硬度範囲はＪＩＳＣ硬度で５０度以上６０度未満であり、前記第３の硬度範囲はＪＩＳＣ硬度で６０度以上７０度未満である靴底。
【請求項５】
請求項１もしくは３において、前記第２の領域におけるミッドソールの主たる硬度は、前記第１の領域におけるミッドソールの主たる硬度よりもＪＩＳＣ硬度で５度〜１５度大きく、前記第３の領域におけるミッドソールの主たる硬度は前記第２の領域におけるミッドソールの主たる硬度よりもＪＩＳＣ硬度で５度〜１５度大きい靴底。
【請求項６】
着地時に接地する接地面を持つアウターソールと、前記アウターソールの上に配置され着地時の衝撃を緩和するミッドソールとを備えた靴底において、
前記ミッドソールは：
母指球の真下の部位と、第５中足骨の骨頭の真下の部位、第５基節骨の骨頭の真下の部位および第５基節骨の骨底の真下の部位のうち少なくとも１つとを含む第１の領域と；
前記第１の領域よりも前方の部位を含む第２の領域と；
足の外側における前記第１の領域よりも後方の部位を含む第３の領域と；を備え、
前記第１の領域におけるミッドソールの硬度は、第１の硬度範囲内にあり、
前記第２の領域におけるミッドソールの硬度は、第２の硬度範囲内にあり、
前記第３の領域におけるミッドソールの硬度は、第３の硬度範囲内にあり、
前記第３の硬度範囲内の硬度は前記第２の硬度範囲内の硬度よりも大きく、かつ、前記第１の硬度範囲内の硬度よりも大きく、
前記第２の領域における第２基節骨の骨体の真下の部位において、前記ミッドソールの下面に下方に向かって突出する隆起面が設けられている靴底。
【請求項７】
請求項６において、前記第２領域のうちの前記隆起面が形成された部位におけるミッドソールの厚さは、第１領域におけるミッドソールの厚さよりも大きい靴底。
【請求項８】
請求項６において、前記隆起面は、概ね足の幅方向に沿って内外にわたって延びるように設けられている靴底。
【請求項９】
請求項８において、前記アウターソールは前記接地面の反対側の上面を有し、前記アウターソールの上面が前記隆起面に沿った曲面を有するように前記アウターソールが予め成型されており、
前記隆起面に対応する部位およびその前後の部位において、前記アウターソールの実質的な厚さが均等に設定されている靴底。
【請求項１０】
請求項６において、
前記第２の硬度範囲内の硬度は前記第１の硬度範囲内の硬度よりも大きい靴底。
【請求項１１】
請求項１０において、前記ミッドソールは、前記第１の領域よりも後方において足の内側から前記第３領域に向かう領域であって、第１〜第３中足骨の骨体の真下の部位を含む第４の領域を更に備え、
前記第４の領域におけるミッドソールの硬度は第４の硬度範囲内にあり、
前記第４の硬度範囲内の硬度は前記第２の硬度範囲内の硬度よりも大きい靴底。
【請求項１２】
請求項１１において、前記ミッドソールは、足の内側において前記第４の領域よりも後方の部位から踵の後端にわたる第５の領域を更に備え、
前記第５の領域におけるミッドソールの硬度は第５の硬度範囲内にあり、
前記第５の硬度範囲内の硬度は、前記第１の硬度範囲内の硬度よりも大きく、かつ、第３の硬度範囲内の硬度よりも小さい靴底。
【請求項１３】
着地時に接地する接地面を持つアウターソールと、前記アウターソールの上に配置され着地時の衝撃を緩衝するミッドソールとを備えた靴底において、
前記ミッドソールは：
母指球の真下の部位と、第５中足骨の骨頭の真下の部位、第５基節骨の骨頭の真下の部位および第５基節骨の骨底の真下の部位のうち少なくとも１つとを含む第１の領域と；
前記第１の領域よりも前方の部位を含む第２の領域と；
足の外側における前記第１の領域よりも後方の部位を含む第３の領域と；を備え、
前記第２の領域における第２基節骨の骨体の真下の部位において、前記ミッドソールの下面に下方に向かって突出する隆起面が設けられており、
前記第２領域のうちの前記隆起面が形成された部位におけるミッドソールの厚さは、第１領域におけるミッドソールの厚さよりも大きく、
前記隆起面は、概ね足の幅方向に沿って内外にわたって延びるように設けられている靴底。
【請求項１４】
請求項１、６もしくは１３において、前記第３の領域に対応する部位において、前記アウターソールの接地面に足の幅方向に沿って延びる１０本以上の溝が形成され、
前記母指球の直下の部位において、前記アウターソールの接地面に同心円状の複数本の溝が形成されている靴底。
【発明の詳細な説明】
【技術分野】
【０００１】
本発明はスムースな体重心移動や素早いターンに資する靴底に関するものである。
【背景技術】
【０００２】
従来から、突起ないし隆起を設けた靴底や、部位により硬度が異なる靴底が知られている。
【特許文献１】特開２００４−３３７２６２号（要約）
【特許文献２】特開２００１─７０００４号（要約、図１、図２）
【特許文献３】特開２００２−２８２０１１号（要約）
【特許文献４】特開平１０−２９５４０４号（要約）
【特許文献５】実公平５−４０７２２号（第１図）
【特許文献６】実開昭６４−３９００４号（第２図）
【特許文献７】Ｕ．Ｓ．Ｐ．６，０４１，５２１（図１）
【特許文献８】特開平１０−６６６０４号（要約）
【特許文献９】特開２００２−１５９３０２号（要約）
【特許文献１０】特開２００３−２８９９０３号（要約）
【特許文献１１】実公昭６２−２７１２５号（第２図）
【０００３】
前記特許文献１〜１１では、上方または下方に突出する突出部を設けた靴底や、部位により硬度が異なる靴底が開示されている。
特許文献１１では、バレーボール、バスケットボール、バドミントン、卓球、体操、エアロビクスなどの各種の室内競技における特有の足の挙動、つまり、急激な方向転換や停止が繰り返しなされることについての記載がなされている。かかる特有の足の挙動の際に足が外側に傾く動きをした時に、この重心の傾きを平均化させて足の故障を防止するため、足の外側部分を他の部分よりも硬度の高い弾性材料で形成したミッドソールを有する靴底が開示されている。しかし、本文献は体重心の移動について何ら記載していない。
【発明の開示】
【０００４】
一般に、バドミントンなどの競技においては、打球時には球の落下点まで素早く移動し、かつ、打球後にはホームポジションまで素早く移動することを繰り返す。かかる動作には体重心を足の前方に素早く移動する必要があるだけでなく、素早くターンして、踏み出した足を素早く元の位置に移動させる必要がある（たとえば、いわゆるピボット動作）。そのためには、素早く体重心（の位置）を後方に戻す必要がある。
踏み出しや移動の際、体重心は踵の外側から足の外側を通って前足部の小指球および母指球の位置に向かって移動する。一方、体重心を戻すまでのターン動作が、前足部で床を蹴って体重心を後方に戻すことで行われる。
したがって、体重心を前方に素早く移動するには、体重心の踵から小指球および母指球に向かう移動をスムースに行うことが重要であり、素早く体重心を戻すためには、体重心の移動を止めて前足部で床を蹴るターン動作を素早く行うことが重要となる。
【０００５】
本発明はかかる点に鑑みてなされたものであり、スムースな体重心移動および素早いターンを可能とする靴底を提供することを目的としている。
【０００６】
本発明の靴底は、着地時に接地する接地面を持つアウターソールと、前記アウターソールの上に配置され着地時の衝撃を緩和するミッドソールとを備え、前記ミッドソールは第１〜第３の領域を備える。前記第１の領域は、母指球の真下の部位と、第５中足骨の骨頭の真下の部位、第５基節骨の骨頭の真下の部位および第５基節骨の骨底の真下の部位のうち少なくとも１つとを含む領域である。前記第２の領域は、前記第１の領域よりも前方の部位を含む第２の領域である。前記第３の領域は、足の外側における前記第１の領域よりも後方の部位を含む領域である。前記第１の領域におけるミッドソールの硬度は第１の硬度範囲内にあり、前記第２の領域におけるミッドソールの硬度は、第２の硬度範囲内にあり、前記第３の領域におけるミッドソールの硬度は、第３の硬度範囲内にある。
【０００７】
前記スムースな体重心の移動を可能とするために、本発明では、前記第３の硬度範囲内の硬度は前記第２の硬度範囲内の硬度よりも大きく、かつ、前記第１の硬度範囲内の硬度よりも大きく設定されている。
体重心は、まず、踵の外側から足の外側を通って前足部の小指球の位置に向かって移動する。
したがって、本発明では、踏み出しの際に体重心が移動する経路（軌跡）にあたる第３の領域においてミッドソールが硬く設定されているので、第３の領域でミッドソールが比較的圧縮変形し難くなり、体重心が踵から母指球に移動する時間を短縮することができる。
【０００８】
なお、前記「母指球の真下の部位と、第５中足骨の骨頭の真下の部位、第５基節骨の骨頭の真下の部位および第５基節骨の骨底の真下の部位のうち少なくとも１つとを含む領域」とは、前記各部位のうち２つの部位を含む領域（下記（１）〜（３））、前記各部位のうち３つの部位を含む領域（下記（４）〜（６））または前記各部位のうちすべてを含む領域（下記（７））である。
（１）母指球の真下の部位および第５中足骨の骨頭の真下の部位（小指球に相当する部位）を含む領域（２つの部位を含む領域）
（２）母指球の真下の部位および第５基節骨の骨頭の真下の部位を含む領域（２つの部位を含む領域）
（３）母指球の真下の部位および第５基節骨の骨底の真下の部位を含む領域（２つの部位を含む領域）
（４）母指球の真下の部位、第５中足骨の骨頭の真下の部位、および、第５基節骨の骨頭の真下の部位を含む領域
（５）母指球の真下の部位、第５中足骨の骨頭の真下の部位、および、第５基節骨の骨底の真下の部位を含む領域
（６）母指球の真下の部位、第５基節骨の骨頭の真下の部位、および、第５基節骨の骨底の真下の部位を含む領域
（７）母指球の真下の部位、第５中足骨の骨頭の真下の部位、第５基節骨の骨頭の真下の部位、および、第５基節骨の骨底の真下の部位を含む領域
【０００９】
また、前記「所定の領域におけるミッドソールの硬度が所定の硬度範囲内にある」とは、当該所定の領域におけるいずれの位置においてもミッドソールの硬度が前記所定の硬度範囲内である場合を含むほか、局所的に硬度が小さくまたは大きく前記所定の硬度範囲外になっている場合（例えば、ミッドソールに孔が形成されている場合や、ミッドソールにいわゆるゲルが装着されている場合）をも含む。また、前記所定の領域内でミッドソールの硬度が一定である必要はなく、同一の領域で硬度が大きい箇所と硬度が小さい箇所があってもよい。
【００１０】
本発明の好ましい態様においては、ミッドソールは、前記第１の領域よりも後方において足の内側から前記第３領域に向かう領域であって、第１〜第３中足骨の骨体の真下の部位を含む第４の領域を更に備え、前記第４の領域におけるミッドソールの硬度は第４の硬度範囲内にあり、前記第４の硬度範囲内の硬度は前記第２の硬度範囲内の硬度よりも大きく、かつ、前記第１の硬度範囲よりも大きく設定されている。
【００１１】
体重心は、前記足の外側を通って小指球の位置に向かって移動した後、前足部の後端の近傍において、足の外側から内側の母指球の位置に向かって移動する。
かかる態様によれば、体重心の移動の経路にあたる第４の領域においてもミッドソールが硬く設定されているので、体重心の移動を更にスムースに行い得る。第４の硬度範囲は前記第３の硬度範囲と同じであってもよい。
【００１２】
本発明の更に好ましい態様においては、ミッドソールは、前記第４の領域に加えて、足の内側において前記第４の領域よりも後方の部位から踵の後端にわたる第５の領域を更に備え、前記第５の領域におけるミッドソールの硬度は第５の硬度範囲内にあり、前記第５の硬度範囲内の硬度は、前記第１の硬度範囲内の硬度よりも大きく、かつ、第３の硬度範囲内の硬度よりも小さく設定されている。
【００１３】
かかる態様によれば、通常の硬度を有する第５の領域が足の内側の第４の領域の後方に設けられているので、体重心が第３の領域から第４の領域に移動し易くなる。第５の硬度範囲は、前記第２の硬度範囲と同じであってもよい。第５の硬度範囲内の硬度が第４の硬度範囲内の硬度よりも小さくてもよい。
【００１４】
前記素早いターン動作を可能とするための１つの構造として、本発明のある態様では、前記第２の領域における第２基節骨の骨体の真下の部位において、前記ミッドソールの下面に下方に向かって突出する隆起面が設けられている。
【００１５】
ターン動作は、前記体重心の移動の後、主に前記第１の領域（特に第１指〜第３指）で床を蹴ることで行われる。本態様では前記第１の領域の直前方の第２基節骨の骨体の真下の部位でミッドソールの下面が下方に隆起していることで、体重心の移動が第１の領域で素早く止まり易くなるので、体重心の移動から第１の領域で床を蹴る動作に移るまでの時間を短縮できる。したがって、ターン動作を素早くすることができる。なお、骨体とは、骨のうちの骨頭（遠位骨頭）および骨底（近位骨頭）の間の部分を意味する。
【００１６】
本態様では、前記隆起面が、概ね足の幅方向に沿って内外にわたって延びるように設けられているのが好ましい。これにより、前記第１領域の概ね全域にわたって、素早く床を蹴ることができる。
【００１７】
また、本態様では、アウターソールの上面が前記隆起面に沿った曲面を有するようにアウターソールが予め成型されており、前記隆起面に対応する部位およびその前後の部位において、前記アウターソールの実質的な厚さが均等に設定されているのが好ましい。硬いアウターソールの厚さが局所的に大きいと足裏への感触が伝わり難い。また、アウターソールの上面と前記ミッドソールの隆起面との接着が容易になる。
なお、「アウターソールの実質的厚さ」とは、意匠を構成する凹凸を無視した場合のアウターソールの上面から接地面までの距離を意味する。
【００１８】
前記素早いターン動作を達成するための別の１つの構造として、本発明の別の態様では、前記第３の硬度範囲内の硬度は前記第２の硬度範囲内の硬度よりも大きく、かつ、前記第２の硬度範囲内の硬度は前記第１の硬度範囲内の硬度よりも大きく設定されている。
【００１９】
この態様によれば、第１の領域においてミッドソールが前後の領域に比べて柔らかく設定されているので、第５基節骨の骨頭の近傍や母指球が下方に沈み込み易くなる。そのため、体重心の移動を第１の領域で素早く止め易くなるので、体重心の移動から第１の領域で床を蹴る動作に移るまでの時間を短縮できる。したがって、ターン動作を素早くすることができる。
【００２０】
なお、かかる第１の硬度範囲の設定に加えて、前述の第１の領域におけるミッドソールの下面に下方への隆起面が設けられてもよい。このようにすれば、ターン動作を更に素早くし得る。
【００２１】
なお、前記スムースな体重心の移動および素早いターン動作の観点から、前記第１の硬度範囲はＪＩＳＣ硬度で４０度以上５０度未満であり、前記第２の硬度範囲はＪＩＳＣ硬度で５０度以上６０度未満であり、前記第３の硬度範囲はＪＩＳＣ硬度で６０度以上７０度未満であるのが好ましい。
【００２２】
同様の観点から、前記第２の領域におけるミッドソールの主たる硬度は、前記第１の領域におけるミッドソールの主たる硬度よりもＪＩＳＣ硬度で５度〜１５度大きく、前記第３の領域におけるミッドソールの主たる硬度は前記第２の領域におけるミッドソールの主たる硬度よりもＪＩＳＣ硬度で５度〜１５度大きいのが好ましい。
【００２３】
なお、各領域の「ミッドソールの主たる硬度」とは、各領域内のいずれの位置においても硬度が一定である場合にはその一定の硬度を意味し、各領域内の位置により硬度が異なる場合はその領域内で最も多く分布する硬度を意味する。
【図面の簡単な説明】
【００２４】
【図１】足のピボット動作を示す平面図である。
【図２】図２Ａは第１モーションにおける足の動作を示す斜視図、図２Ｂは第５モーションにおける足の動作を示す斜視図である。
【図３】図３Ａは第１モーションにおける各時点の体重心の位置を示す骨格図、図３Ｂは床反力の変化を示すグラフである。
【図４】図４Ａは第５モーションにおける各時点の体重心の位置を示す骨格図、図４Ｂは床反力の変化を示すグラフである。
【図５】本発明の第１実施例にかかるミッドソールの底面図である。
【図６】図６Ａは同ミッドソールの縦断面図、図６Ｂはアウターソール（前足部）の縦断面図である。
【図７】図７Ａは図４のVIIa-VIIa 線断面図、図７Ｂは図４のVIIb-VIIb 線断面図、図７Ｃは図４のVIIc-VIIc 線断面図である。
【図８】ミッドソールと足の骨との関係を示す底面図である。
【図９】ミッドソールと足の骨との関係を示す内側面図である。
【図１０】ミッドソールと足の骨との関係を示す外側面図である。
【図１１】アウターソールの底面図である。
【図１２】本発明の第２実施例にかかるミッドソールの底面図である。
【図１３】図１３Ａは同ミッドソールの内側面図、図１３Ｂは同ミッドソールの外側面図、Ｃは同ミッドソールの縦断面図である。
【図１４】図１４Ａは第１モーションにおけるスムースな体重心移動についての検証結果を示すグラフ、図１４Ｂは同素早いターン動作についての検証結果を示すグラフである。
【図１５】図１５Ａは第５モーションにおけるスムースな体重心移動についての検証結果を示すグラフ、図１５Ｂは同素早いターン動作についての検証結果を示すグラフである。
【符号の説明】
【００２５】
１：ミッドソール
１５：隆起面
２：アウターソール
２１：接地面
２５，２６：溝
２２：上面
Ｒ１：第１の領域
Ｒ２：第２の領域
Ｒ３：第３の領域
Ｒ４：第４の領域
Ｒ５：第５の領域
７２ｂ：第２基節骨骨体
７５ａ：第５基節骨骨頭
７５ｃ：第５基節骨骨底
８１ａ：母指球
８１ｂ：第１中足骨骨体
８２ｂ：第２中足骨骨体
８３ｂ：第３中足骨骨体
８５ａ：第５中足骨骨頭（小指球）
Ｘ：足幅方向
Ｙ：足長方向
【発明を実施するための最良の形態】
【００２６】
本発明は、添付の図面を参考にした以下の好適な実施例の説明からより明瞭に理解されるであろう。しかしながら、実施例および図面は単なる図示および説明のためのものであり、本発明の範囲を定めるために利用されるべきものではない。本発明の範囲は請求の範囲のみに基づいて定められる。添付図面において、複数の図面における同一の部品番号は、同一または相当部分を示す。【００２７】
踏み出し動作およびターン動作：
本発明の実施例の説明の前に、まず、本発明の前提となる踏み出し動作およびターン動作について説明する。
たとえば、バドミントンやスカッシュなどの競技においては、ホームポジションから球の落下点まで移動し、再びホームポジションに戻る動作を頻繁に行う。かかる動作は、ピボット動作により足を踏み出して姿勢を変更した後、足を元の位置（ホームポジション）に戻す動作に近似的に置き換えて考察することができると考えられる。【００２８】
図１に示すピボット動作では、左足を軸として右足を位置Ｍ０から位置Ｍ１〜Ｍ７のいずれかに移動させた後、当該移動された右足を戻す動作が行われる。各位置Ｍ１〜Ｍ７への移動（モーション１〜７）において、着地〜ターン動作までの床反力、その分布、体重心の位置などを調べたところ、位置Ｍ５への移動以外はほぼ同様の結果が得られた。以下、位置Ｍ１への移動（モーション１）と位置Ｍ５への移動（モーション５）とに分けて説明し、その他のモーションについては説明を省略する。【００２９】
モーション１では、右足は、図２Ａの（ａ）〜（ｆ）の一連の挙動を示す。すなわち、（ａ）踵の後端で着地し、（ｂ）〜（ｃ）膝を曲げて靴底の概ね全面が接地し、（ｄ）踵が若干上がり、（ｅ）〜（ｆ）再び靴底の概ね全面が接地する、という一連の動作が行われる。（ａ）の状態、つまり、時点ｔ０においては、図３ＡのＧt0の位置（踵骨９１の後端）が体重心の位置である。（ｂ）の状態、つまり、時点ｔ１においては、図３ＡのＧt1の位置（踵骨９１の中央）が体重心の位置であり、（ｄ）の状態、つまり、時点ｔ２においては、図３ＡのＧt2の位置（第３中足骨８１の骨頭）が体重心の位置であり、（ｅ）の状態、つまり、時点ｔ３においては、図３ＡのＧt3の位置（距骨９２の中央）が体重心の位置である。
すなわち、時点ｔ１〜ｔ２までの期間で体重心の位置が前方へ移動し、時点ｔ２〜ｔ３の期間で前記移動された体重心の位置が再び後方に戻る（ターン動作）。【００３０】
モーション１の前記時点ｔ０〜ｔ３における床反力の変化は図３Ｂのグラフに示されている。Ｆｙは蹴り出し方向の床反力を示し、Ｆｚは垂直方向の床反力を示す。このグラフから分かるように、各時点ｔ０〜ｔ３において、床反力はピーク値を示す。【００３１】
一方、モーション５では、右足は、図２Ｂの（ａ）〜（ｅ）の一連の挙動を示す。すなわち、（ａ）〜（ｂ）踵の後端で着地し、（ｃ）靴底の概ね全面が接地して体重心の位置が踵から前方に移動し、（ｄ）膝を曲げて体全体を前方に傾け、（ｅ）体を後方に戻す、という一連の動作が行われる。モーション５の時点ｔ０〜ｔ３における体重心の位置は、それぞれ、図４ＡのＧt0〜Ｇt3に示すとおりである。また、モーション５での床反力の変化は図４Ｂのグラフに示されている。【００３２】
前記モーション１と異なる点は、モーション５の一連の動作に要する時点がモーション１のそれよりも短くなっている点や、時点ｔ２から時点ｔ３まで床反力が概ね変化しない点などである。また、モーション５の時点ｔ１の体重心の位置Ｇt1は、前記モーション１におけるそれよりも足の幅方向の中央寄りにある。【００３３】
前記両モーションの双方とも、足を踏み出した後素早く戻すためには、前記時点ｔ１〜時点ｔ２、つまり、前記体重心の移動に要する時間ΔＴ１を短縮することや、前記時点ｔ２〜時点ｔ３、つまり、前記ターン動作に要する時間ΔＴ２を短縮することが重要となる。【００３４】
第１実施例：
以下、第１実施例が、図５〜図１１を参照して説明される。
本実施例の靴底は図５に示すミッドソール１とミッドソール１の下面に接着されるアウターソール２（図１１）とを備える。【００３５】
ミッドソール１は、たとえば、ＥＶＡ（エチレン−酢酸ビニル共重合体）などの樹脂の発泡体などの衝撃吸収に適した素材で形成される。ミッドソール１は第１〜第５の領域Ｒ１〜Ｒ５に分割されており、各領域Ｒ１〜Ｒ５におけるミッドソール１の硬度は所定の範囲に設定されている。
なお、図５において、各領域Ｒ１〜Ｒ５の硬度分布を分かり易くするために、複数種類の網かけを施しており、同種の網かけは硬度が同じ範囲を示す（後述の図１２も同様）。以下の図において、ＩＮは足の内側、ＯＵＴは足の外側を示す。【００３６】
図５および図８に示すように、前記第１の領域Ｒ１は母指球（第１中足骨骨頭）８１ａの真下の部位、第５基節骨骨頭７５ａの真下の部位、第５基節骨骨体７５ｂの真下の部位、および、第５基節骨骨底７５ｃの真下の部位を含む。第１の領域Ｒ１は、概ね足幅方向Ｘに沿って足の内側から足の外側まで帯状に延びている。第１の領域Ｒ１は、たとえば、通常ミッドソールに用いられるものよりも反発性を大きくしたＥＶＡの発泡体で形成されており、その硬度はＪＩＳＣ硬度で約４５度に設定されている。【００３７】
第１の領域Ｒ１は、第５中足骨骨頭（小指球）８５ａの真下の部位を含んでいてもよいし、概ねＭＰ関節７９に沿うように弧状に設けられてもよい。また、第１の領域Ｒ１は、必ずしも足の内側から外側にわたって連なって設けられる必要はなく、足の内側と外側とに分離されて島状に設けられてもよい。【００３８】
前記第２の領域Ｒ２は、第１の領域の直前方の部位から爪先にわたって延びる領域である。第２の領域Ｒ２は、たとえば、通常ミッドソールに用いられるＥＶＡの発泡体で形成されている。その硬度はＪＩＳＣ硬度で約５５度に設定されており、前記第１の領域Ｒ１におけるミッドソール１の硬度よりも大きい。【００３９】
前記第３の領域Ｒ３は、足の中心線ＨＣよりもやや外側において、第１の領域Ｒ１の直後方の第５中足骨骨体８５ｂの近傍の部位から、足長方向Ｙに沿って踵骨９１の内側まで延びる部位である。第３の領域Ｒ３は、たとえば、通常ミッドソールに用いられるものよりも硬度の高いＥＶＡの発泡体で形成されている。その硬度はＪＩＳＣ硬度で約６５度に設定されており、前記第１および第２の領域Ｒ１，Ｒ２におけるミッドソール１の硬度よりも高くなっている。【００４０】
前記第４の領域Ｒ４は、前記第１の領域Ｒ１よりも後方において足の内側から足の中心線ＨＣに向かう平面視において略扇形ないし略三角形状の領域である。第４の領域Ｒ４は、第３の領域Ｒ３の内側において、第１〜第３中足骨骨体８１ｂ，８２ｂ，８３ｂから第１指〜第３指のショパール関節８９まで延びている。第４の領域Ｒ４の素材および硬度は、前記第３の領域Ｒ３とそれと同じである。
第４の領域Ｒ４は、必ずしも略扇形や略三角形状である必要はなく、ショパール関節８９よりも前方の第１〜第３中足骨骨体８１ｂ，８２ｂ，８３ｂに沿って帯状に設けられていてもよい。この実施例では、前記第４の領域Ｒ４は前記第３の領域Ｒ３に連なっている。【００４１】
前記第５の領域Ｒ５は、前記第４の領域の直後方から踵の後端まで延びる領域である。第５の領域Ｒ５の素材および硬度は、前記第２の領域Ｒ２とそれと同じである。
第２の領域Ｒ２，第５の領域Ｒ５は通常ミッドソールに用いられる一般的な硬度のＥＶＡの発泡体で形成されている。これらの領域は、第１の領域Ｒ１のように柔らかくしたり、第３の領域Ｒ３のように硬くする必要もなく、むしろ、硬くしたり柔らかくすることで、足の動きを阻害したり足の支持が不安定になるなどの可能性があるからである。【００４２】
なお、ミッドソール１の下面には中足部のネジレや屈曲を抑制するためのシャンク５１が取り付けられている。【００４３】
このように、本実施例では、第３および第４の領域Ｒ３，Ｒ４におけるミッドソール１の硬度が他の領域Ｒ１，Ｒ２，Ｒ５におけるそれよりも大きく設定されている。この第３および第４の領域Ｒ３，Ｒ４は前述の踏み出し動作の際の体重心の経路にあたる。この体重心の経路でミッドソール１が圧縮変形し難くなるから、体重心が踵から母指球に向って移動する時間（前述のΔＴ１）を短縮することができる。【００４４】
また、第１の領域Ｒ１におけるミッドソール１の硬度がその前後の領域Ｒ２〜Ｒ４におけるそれよりも小さく設定されている。したがって、床を蹴って体重心を戻し始める部位、つまり、母指球から小指球にわたる部位が下方に沈み込み易くなる。体重心の移動を適切な位置で素早く止め易くなるので、床を蹴るターン動作に要する時間（前述のΔＴ２）を短縮できる。【００４５】
なお、本実施例では、ミッドソール１の各領域Ｒ１〜Ｒ５が、それぞれ、１種類の素材で形成されているが、複数種類の素材の層を重ね合わせることでミッドソール１の各領域Ｒ１〜Ｒ５が形成されてもよい。たとえば、全領域Ｒ１〜Ｒ５を覆うと共に第１の領域Ｒ１、第３の領域Ｒ３および第４の領域Ｒ４に凹所が設けられた、一般的な硬度の１つの発泡樹脂層を用意し、第１の領域Ｒ１の凹所に柔らかい別の発泡樹脂層を重ね合わせ、第３の領域Ｒ３および第４の領域Ｒ４の凹所に硬い別の発泡樹脂層を重ね合わせることで、前述のような硬度分布を有するミッドソールを実現してもよい。【００４６】
図６Ａの縦断面図に示すように、前記第２の領域Ｒ２において、ミッドソール１の下面１１に、下方に隆起した隆起面１５が設けられている。
隆起面１５は、縦断面において概ね滑らかに変化する曲線状に形成されており、第２領域Ｒ２のうち隆起面１５が形成された部位におけるミッドソール１の厚さは、第１領域Ｒ１におけるミッドソール１の厚さよりも大きく設定されている。【００４７】
前記隆起面の最大高さ（最も下方に突出した地点における突出高さＨ）は約３mm程度に設定されている。側面視における、足の骨とミッドソール１の隆起面１５との関係は図９および図１０に示されるとおりである。
この隆起面は図８の二点鎖線で示す位置から爪先までの範囲に広がっており、この範囲には、前記第１の領域Ｒ１の直前方の第１〜第３基節骨骨体７１ｂ，７２ｂ，７３ｂの真下の部位が含まれる。【００４８】
かかる隆起面１５が第１の領域Ｒ１の直前方に設けられていることで、体重心の移動が第１の領域Ｒ１で素早く止まり易くなり、第１の領域Ｒ１で床を蹴るターン動作に要する時間（前述のΔＴ２）を短縮できる。【００４９】
図７Ａ，図７Ｂに示すように、第２領域Ｒ２および第１領域Ｒ１においては、ミッドソール１には、上方に巻き上がる巻上部１６が足の外側にのみ設けられている。一方、図７Ｃに示すように、第３領域Ｒ３および第４領域Ｒ４においては、ミッドソール１には、巻上部１６が足の内側および外側の双方に設けられている。これらの巻上部１６は、体重心の移動の際に足を安定して支えるのに役立つ。【００５０】
図６Ｂに示すように、前記アウターソール２は、接地面２１と上面２２を有する。アウターソール２の上面２２には前記ミッドソール１の隆起面１５に沿って凹んだ凹面２２ａが設けられている。前記凹面２２ａの真下の部位において、アウターソール２の接地面２１には、下方に膨らんだ膨出面２１ａが設けられている。前記隆起面１５に対応する部位およびその前後の部位において、アウターソール２の実質的な厚さは均等に設定されている。【００５１】
図１１に示すように、アウターソール２の接地面２１には、前記第３の領域Ｒ３（図５）に対応する部位において、足幅方向Ｘに沿って延びる１０本以上の溝２５が形成されている。これにより、第３の領域Ｒ３において、アウターソール２が足長方向に沿って前後方向に移動する際のグリップ力が増大する。
また、アウターソール２の接地面２１には、母指球８１ａ（図８）に相当する部位において、同心円状の複数本の溝２６が形成されている。これにより、母指球８１ａで全方向に床を蹴り易くなり、全方向への移動がし易くなる。【００５２】
第２実施例：
図１２，図１３Ａ〜図１３Ｃは、第２実施例を示す。
図１３Ａ〜図１３Ｃに示すように、本実施例では、ミッドソール１の隆起部が第２の領域Ｒ２の先端部分には設けられていない。つまり、隆起部１５は第２の領域Ｒ２のうち、図１２の２本の二点鎖線の間の範囲にのみ設けられている。
その他の構成は、前記第１実施例と同様であり、同一部分または相当部分に同一符号を付して、その詳しい説明および図示を省略する。【００５３】
比較例および試験例：
以下、本発明の効果を明瞭にするために、比較例１〜３および試験例１〜４を用いた試験が説明される。【００５４】
比較例１〜３として、互いにメーカの異なる市販のバドミントンシューズを３足用意した。【００５５】
試験例１として、前記図１２，図１３Ａ〜Ｃの実施例に示された硬度分布および隆起面を有するミッドソール１を採用した靴を制作した。ミッドソール１の素材としてはＥＶＡの発泡体を用いた。但し平坦な上面を有するアウターソール２をミッドソール１に接着した。ミッドソール１の隆起面１５の最大高さＨは３mmに設定した。なお、第１の領域Ｒ１の素材としては、他の領域Ｒ２〜Ｒ５よりも反発性の高いＥＶＡの発泡体を用いた。【００５６】
試験例２として、ミッドソール１の隆起面１５の最大高さＨを５mmとした以外は前記試験例１と同じ構造の靴を制作した。【００５７】
試験例３として、第１の領域Ｒ１も他の領域Ｒ２〜Ｒ５と同様の反発性を持つＥＶＡとした以外は前記試験例１と同じ構造の靴を制作した。【００５８】
試験例４として、ミッドソール１の隆起面１５の最大高さＨを５mmとした以外は前記試験例３と同じ構造の靴を制作した。【００５９】
試験方法；
前記比較例１〜３および試験例１〜４の靴を同一の被験者が着用し、図１〜図２Ｂのモーション１とモーション５の動作を行い、図３Ｂおよび図４Ｂの床反力を測定しながら、時点ｔ１〜ｔ３を計時した。その計時結果から時点ｔ１〜ｔ２までに要した時間（体重心の前方への移動に要した時間）ΔＴ１と、時点ｔ２〜ｔ３までに要した時間（ターン動作に要した時間）ΔＴ２とが計算された。その結果が、図１４Ａ，図１４Ｂ，図１５Ａ，図１５Ｂに示される。【００６０】
図１４Ａの図表から分かるように、モーション１においては、試験例１〜４の場合が、比較例１〜３に比べ、約０．０７秒〜１秒近く、体重心の前方への移動に要した時間（体重心の移動時間）ΔＴ１が大幅に短縮された。
このように体重心の移動時間ΔＴ１が大幅に短縮された原因は、体重心の移動の経路にあたる第３領域Ｒ３におけるミッドソール１の硬度が大きいので、足裏の力が床に早く伝わるためと推測される。【００６１】
図１５Ａの図表から分かるように、モーション５においては、試験例１〜４の場合が、比較例１〜３に比べ、体重心の移動時間ΔＴ１が若干短縮された。
このように、モーション５において体重心の移動時間ΔＴ１が若干短縮された原因は、図４Ａのように体重心の位置Ｇが足の概ね中心を通って前方に移動するから、第３領域Ｒ３のミッドソール１の硬度を大きく設定したことによる効果が若干発揮されるからであると推測される。【００６２】
なお、競技中、モーション５の動作は比較的少なく、全体的に見るとモーション１〜４，６，７の動作が主となることから、本試験例の靴底は競技中の動作の迅速化に十分資することができるものと解される。【００６３】
図１４Ｂおよび図１５Ｂの図表から分かるように、モーション１，５の双方において、試験例１〜４の場合が、比較例１〜３に比べ、ターン動作に要した時間（ターン動作時間）ΔＴ２が短縮された。
このように、時間ΔＴ２が短縮された要因の１つは、ミッドソール１に隆起面１５が設けられたことであると推測される。【００６４】
また、図１４Ｂおよび図１５Ｂの図表のモーション１，５の双方において、試験例１，２の場合が試験例３，４の場合に比べ、ターン動作時間ΔＴ２が短縮されている。その原因は試験例１，２の場合には、ミッドソール１に隆起面１５を設けただけでなく、第１の領域Ｒ１におけるミッドソール１の硬度が第２および第３の領域Ｒ２，Ｒ３におけるそれよりも小さいことであると推測される。【００６５】
試験例１，２において、ターン動作時間ΔＴ２に差程の大きな差が生じなかったことから、隆起面１５の最大高さＨは５mm，３mmのいずれでも殆ど効果の差が生じない。
隆起面１５の最大高さＨは所定の範囲にあることが好ましいと推測される。前記ターン動作時間ΔＴ２を短縮させる機能の発揮を考慮して、前記最大高さＨの下限値は、約１．０mmとするのが好ましく、約１．５mmとするのが更に好ましいと推測される。足を安定して支えることを考慮して、前記最大高さＨの上限値は、約６．０mmとするのが好ましく、約５．０mmとするが更に好ましく、約４．０mm程度とするのが最も好ましいと推測される。【００６６】
以上のとおり、図面を参照しながら好適な実施例を説明したが、当業者であれば、本明細書を見て、自明な範囲内で種々の変更および修正を容易に想定するであろう。
たとえば、第４の領域におけるミッドソールの硬度は第５の領域におけるそれと同じに設定してもよい。また、ミッドソールの隆起部は足の内側から外側にわたる部位の一部にのみ設けられてもよいし、足の内側から外側にわたって断続的に設けられてもよい。
したがって、そのような変更および修正は、本発明の範囲のものと解釈される。
【産業上の利用可能性】
【００６７】
本発明は、バドミントンシューズなどの種々の運動靴に適用することができる。
【図１】
0004704437.tif 000002
【図２】
0004704437.tif 000003
【図３】
0004704437.tif 000004
【図４】
0004704437.tif 000005
【図６】
0004704437.tif 000006
【図７】
0004704437.tif 000007
【図１１】
0004704437.tif 000008
【図１３】
0004704437.tif 000009
【図１４】
0004704437.tif 000010
【図１５】
0004704437.tif 000011
【図５】
0004704437.tif 000012
【図８】
0004704437.tif 000013
【図９】
0004704437.tif 000014
【図１０】
0004704437.tif 000015
【図１２】
0004704437.tif 000016